【手続補正書】
【提出日】平成17年12月7日(2005.12.7)
【手続補正１】
【補正対象書類名】明細書
【補正対象項目名】発明の名称
【補正方法】変更
【補正の内容】
【発明の名称】表示装置、電子機器
【手続補正２】
【補正対象書類名】明細書
【補正対象項目名】特許請求の範囲
【補正方法】変更
【補正の内容】
【特許請求の範囲】
【請求項１】
電源供給線と、インバータと、
第１の電極が前記電源供給線に電気的に接続され、第２の電極が前記インバータの入力端子に電気的に接続された容量素子と、
ゲートが前記インバータの出力端子に電気的に接続され、ソース又はドレインの一方が前記電源供給線に電気的に接続されたトランジスタと、
第１の電極と第２の電極の一方が前記トランジスタのソース又はドレインの他方に電気的に接続された発光素子と、
を有することを特徴とする表示装置。
【請求項２】
電源供給線と、直列に接続された複数のインバータと、
第１の電極が前記電源供給線に電気的に接続され、第２の電極が前記複数のインバータのうちの一端のインバータの入力端子に接続された容量素子と、
ゲートが前記複数のインバータのうちの他端のインバータの出力端子に電気的に接続され、ソース又はドレインの一方が前記電源供給線に電気的に接続されたトランジスタと、
第１の電極と第２の電極の一方が前記トランジスタのソース又はドレインの他方に電気的に接続された発光素子と、
を有することを特徴とする表示装置。
【請求項３】
電源供給線と、ゲート信号線と、ソース信号線と、インバータと、
第１の電極が前記電源供給線に電気的に接続され、第２の電極が前記インバータの入力端子に電気的に接続された容量素子と、
ゲートが前記インバータの出力端子に電気的に接続され、ソース又はドレインの一方が前記電源供給線に電気的に接続された第１のトランジスタと、
第１の電極と第２の電極の一方が前記第１のトランジスタのソース又はドレインの他方に電気的に接続された発光素子と、
ゲートが前記ゲート信号線に電気的に接続され、ソース又はドレインの一方が前記ソース信号線に電気的に接続され、ソース又はドレインの他方が前記インバータの入力端子に電気的に接続された第２のトランジスタと、
を有することを特徴とする表示装置。
【請求項４】
電源供給線と、ゲート信号線と、ソース信号線と、直列に接続された複数のインバータと、
第１の電極が前記電源供給線に電気的に接続され、第２の電極が前記複数のインバータのうちの一端のインバータの入力端子に電気的に接続された容量素子と、
ゲートが前記複数のインバータのうちの他端のインバータの出力端子に電気的に接続され、ソース又はドレインの一方が前記電源供給線に電気的に接続された第１のトランジスタと、
第１の電極と第２の電極の一方が前記第１のトランジスタのソース又はドレインの他方に電気的に接続された発光素子と、
ゲートが前記ゲート信号線に電気的に接続され、ソース又はドレインの一方が前記ソース信号線に電気的に接続され、ソース又はドレインの他方が前記複数のインバータのうちの他端のインバータの入力端子に電気的に接続された第２のトランジスタと、
を有することを特徴とする表示装置。
【請求項５】
第１の電源供給線と、第２の電源供給線と、第３の電源供給線と、ゲート信号線と、ソース信号線と、
第１の電極が前記第１の電源供給線に電気的に接続された容量素子と、
ソース又はドレインの一方が前記第１の電源供給線に電気的に接続された第１のトランジスタと、
第１の電極と第２の電極の一方が前記第１のトランジスタのソース又はドレインの他方に電気的に接続された発光素子と、
ゲートが前記ゲート信号線に電気的に接続され、ソース又はドレインの一方が前記ソース信号線に電気的に接続され、ソース又はドレインの他方が前記容量素子の第２の電極に電気的に接続された第２のトランジスタと、
ゲートが前記第２のトランジスタのソース又はドレインの他方に電気的に接続され、ソース又はドレインの一方が前記第２の電源供給線に電気的に接続され、ソース又はドレインの他方が前記第１のトランジスタのゲートに電気的に接続された第３のトランジスタと、
ゲートが前記第２のトランジスタのソース又はドレインの他方に電気的に接続され、ソース又はドレインの一方が前記第３の電源供給線に電気的に接続され、ソース又はドレインの他方が前記第１のトランジスタのゲートと前記第３のトランジスタのソース又はドレインの他方とに電気的に接続された第４のトランジスタと、
を有することを特徴とする表示装置。
【請求項６】
第１の電源供給線と、第２の電源供給線と、ゲート信号線と、ソース信号線と、
第１の電極が前記第１の電源供給線に電気的に接続された容量素子と、
ソース又はドレインの一方が前記第１の電源供給線に電気的に接続された第１のトランジスタと、
第１の電極と第２の電極の一方が前記第１のトランジスタのソース又はドレインの他方に電気的に接続された発光素子と、
ゲートが前記ゲート信号線に電気的に接続され、ソース又はドレインの一方が前記ソース信号線に電気的に接続され、ソース又はドレインの他方が前記容量素子の第２の電極に電気的に接続された第２のトランジスタと、
ゲートが前記第２のトランジスタのソース又はドレインの他方に電気的に接続され、ソース又はドレインの一方が前記第２の電源供給線に電気的に接続され、ソース又はドレインの他方が前記第１のトランジスタのゲートに電気的に接続された第３のトランジスタと、
ゲートが前記第２のトランジスタのソース又はドレインの他方に電気的に接続され、ソース又はドレインの一方が前記第１の電源供給線に電気的に接続され、ソース又はドレインの他方が前記第１のトランジスタのゲートと前記第３のトランジスタのソース又はドレインの他方とに電気的に接続された第４のトランジスタと、
を有することを特徴とする表示装置。
【請求項７】
請求項１又は請求項２において、
一方の端子が前記電源供給線に電気的に接続され、他方の端子が前記トランジスタのソース又はドレインの一方に電気的に接続されたスイッチを有することを特徴とする表示装置。
【請求項８】
請求項３又は請求項４において、
一方の端子が前記電源供給線に電気的に接続され、他方の端子が前記第１のトランジスタのソース又はドレインの一方に電気的に接続されたスイッチを有することを特徴とする表示装置。
【請求項９】
請求項５又は請求項６において、
一方の端子が前記第１の電源供給線に電気的に接続され、他方の端子が前記第１のトランジスタのソース又はドレインの一方に電気的に接続されたスイッチを有することを特徴とする表示装置。
【請求項１０】
請求項１又は請求項２において、
一方の端子が前記発光素子の第１の電極と第２の電極の一方に電気的に接続され、他方の端子が前記トランジスタのソース又はドレインの他方に電気的に接続されたスイッチを有することを特徴とする表示装置。
【請求項１１】
請求項３乃至請求項６のいずれか一項において、
一方の端子が前記発光素子の第１の電極と第２の電極の一方に電気的に接続され、他方の端子が前記第１のトランジスタのソース又はドレインの他方に電気的に接続されたスイッチを有することを特徴とする表示装置。
【請求項１２】
請求項１乃至請求項６のいずれか一項において、
一方の端子が前記容量素子の第１の電極に電気的に接続され、他方の端子が前記容量素子の第２の電極に電気的に接続されたスイッチを有することを特徴とする表示装置。
【請求項１３】
請求項５又は請求項６において、
一方の端子が前記第３のトランジスタのゲート及び前記第４のトランジスタのゲートに電気的に接続され、他方の端子が前記第２の電流供給線に電気的に接続されたスイッチを有することを特徴とする表示装置。
【請求項１４】
請求項３乃至請求項６のいずれか１項において、
前記ソース信号線に電気的に接続されたソース信号線駆動回路と、
前記ゲート信号線に電気的に接続されたゲート信号線駆動回路と、を有することを特徴とする表示装置。
【請求項１５】
請求項１乃至請求項６のいずれか一項において、
前記発光素子は、エレクトロルミネッセンス素子であることを特徴とする表示装置。
【請求項１６】
請求項１乃至請求項１５のいずれか一項に記載の表示装置を用いた電子機器。